(57)【要約】【課題】口腔内から採取される血液検体であっても、高感度な検出を実現し、痛みやストレスを感じることなく、免疫クロマト分析ができる免疫クロマト分析キット、免疫クロマト分析装置及び免疫クロマト分析方法を提供することを課題とする。【解決手段】唾液を含む血液検体を希釈して展開するための検体希釈液並びに試料添加部、標識物質保持部、検出部が担持されたクロマトグラフ媒体部及び吸収部を含む免疫クロマト分析装置を含む免疫クロマト分析キットであって、検体希釈液及び前記検出部の展開方向上流の少なくとも一方に、アルキルグルコシド類及び陰イオン性界面活性剤を含有する免疫クロマト分析キット。【選択図】図１
2015210237.tif 000002
【特許請求の範囲】
【請求項１】
口腔内から採取される血液検体を希釈して展開するための検体希釈液並びに試料添加部、標識物質保持部、検出部が担持されたクロマトグラフ媒体部及び吸収部を含む免疫クロマト分析装置を含む免疫クロマト分析キット。
【請求項２】
前記検体希釈液及び前記検出部の展開方向上流の少なくとも一方に、アルキルグルコシド類及び陰イオン性界面活性剤を含有する請求項１に記載の免疫クロマト分析キット。
【請求項３】
前記血液検体中の被検出物質が血液中の糖化タンパク質である請求項１または２に記載の免疫クロマト分析キット。
【請求項４】
前記糖化タンパク質がＨｂＡ１ｃである請求項３に記載の免疫クロマト分析キット。
【請求項５】
前記アルキルグルコシド類が、炭素数が５〜１５のアルキル基を有するアルキルグルコシドまたはアルキルマルトシドである請求項２〜４のいずれか１項に記載の免疫クロマト分析キット。
【請求項６】
前記陰イオン性界面活性剤がドデシルスルホン酸ナトリウム、ドデシルベンゼンスルホン酸ナトリウム及びポリオキシエチレンラウリルエーテル硫酸ナトリウムからなる群から選ばれた１種以上である請求項２〜５のいずれか１項に記載の免疫クロマト分析キット。
【請求項７】
前記検出部の展開方向上流に、前記アルキルグルコシド類を１〜１７００μｇ、前記陰イオン性界面活性剤を８〜８００μｇ含有する請求項２〜６のいずれか１項に記載の免疫クロマト分析キット。
【請求項８】
歯間ブラシを用いて口腔内から血液検体を採取することを特徴とする請求項１〜７のいずれか１項に記載の免疫クロマト分析キット。
【請求項９】
口腔内から採取される血液検体中の被検出物質を検出するための免疫クロマト分析装置であって、試料添加部、標識物質保持部、検出部が担持されたクロマトグラフ媒体部及び吸収部を含み、前記検出部の展開方向上流に、アルキルグルコシド類及び陰イオン性界面活性剤を含有する、免疫クロマト分析装置。
【請求項１０】
試料添加部、標識物質保持部、検出部が担持されたクロマトグラフ媒体部及び吸収部を含む免疫クロマト分析装置を用いて、口腔内から採取される血液検体に含まれる被検出物質を検出する方法であって、以下の工程（１）〜（４）を含む免疫クロマト分析方法。
（１）検体希釈液により前記血液検体を希釈した検体処理液を試料添加部に添加する工程
（２）標識物質保持部に保持されている標識物質により被検出物質を認識させる工程
（３）アルキルグルコシド類及び陰イオン性界面活性剤存在下で前記血液検体及び標識物質を移動相としてクロマトグラフ媒体部に展開させる工程
（４）展開された移動相中の被検出物質を検出部で検出する工程
【発明の詳細な説明】
【技術分野】
【０００１】
本発明は、免疫クロマト分析キット、免疫クロマト分析装置及び免疫クロマト分析方法に関する。
【背景技術】
【０００２】
血液、尿などの検体に含まれる種々の成分を測定することは、患者の健康状態を把握する上で臨床上極めて重要であり、従来、その成分に応じて各種の測定方法が採用されている。その一つとして、検体に含まれる被検出物質を免疫反応により発色させ、その発色シグナルを確認する免疫クロマト分析装置及び分析方法が知られている。
【０００３】
免疫クロマト分析装置の最も簡単な構造としては、試料添加部、標識物質保持部、検出部が担持されたクロマトグラフ媒体、及び吸収部が相互に繋がった構造である。
【０００４】
一方、世界の糖尿病患者数は、２０１１年で３億６６００万人存在し、２０３０年は５億５２００万人（成人人口の約１０％）にも及ぶと予測されている。またいわゆる糖尿病予備軍もそれと同等以上であると考えられる。従来、糖尿病の診断は血糖値を測定することによりなされていたが、近年では、血中のヘモグロビンに糖が結合した糖化ヘモグロビン（グリコヘモグロビン）、とくにヘモグロビンβ鎖のＮ末端バリン残基が糖化されたヘモグロビンＡ１ｃ（以下、「ＨｂＡ１ｃ」と言う）の総ヘモグロビン量に対する濃度が、過去１〜２ヶ月の平均血糖値を反映することから、糖尿病の診断や糖尿病の経過観察に適した指標として使用されつつある。
【０００５】
しかし従来においてＨｂＡ１ｃの測定は、ＨＰＬＣ法、キャピラリー電気泳動法、酵素法、免疫学的測定法等により実施されるが、これらの方法は特定の装置や分析に対する専門的知識を必要とするために、小規模の病院や家庭等ではＨｂＡ１ｃの値を簡単に知ることができない、という問題点があった。
【０００６】
また、ＨｂＡ１ｃの血中濃度は、血中成分に個人差が存在するため、ＨｂＡ１ｃ以外のヘモグロビンを同時に測定し、ＨｂＡ１ｃとＨｂＡ１ｃ以外のヘモグロビンとの総ヘモグロビン量に対するＨｂＡ１c量の比率を把握することで、糖尿病の陰性または陽性を判定していたが、この場合、ＨｂＡ１ｃとＨｂＡ１ｃ以外のヘモグロビンを個別に上記手段によって測定する必要があるため、測定の煩雑さがさらに悪化するという問題点も存在する。
【０００７】
そこで、例えば、特許文献１には、ＨｂＡ１ｃを簡易的に測定する方法が提案されている。当該方法は、まず、採取した血液と、ヘモグロビンβ鎖Ｎ末端をタンパク質表面に露出させる成分（Ｎ末端露出剤）とを混合し、ＨｂＡ１ｃのエピトープをヘモグロビンタンパク質の表面に露出させ、試料液を作成後、試料添加部に滴下する。試料液を毛細管現象により抗体固定化メンブレン上で展開させ、抗体固定化メンブレン上を展開した試料液は、抗ＨｂＡ１ｃ抗体塗布部に到達し、ここで試料液中のＨｂＡ１ｃのみが反応し、検出される。続いてさらに抗体固定化メンブレン上を展開した試料液は、抗ＨｂＡ０抗体塗布部に到達し、試料液中のＨｂＡ０のみが反応し、検出され、その他のヘモグロビンは反応せずに吸水パッドまで移動する。このようにして、試料液中のＨｂＡ０及びＨｂＡ１ｃがそれぞれ検出される。当該方法は、ＨＰＬＣ法、キャピラリー電気泳動法、酵素法、免疫学的測定法等とは異なり、これらの方法は特定の装置や分析に対する専門的知識を必要としないために、簡易的にＨｂＡ１ｃの値を知ることができる。
【先行技術文献】
【特許文献】
【０００８】
【特許文献１】特開２０１２−２５１７８９号公報
【発明の概要】
【発明が解決しようとする課題】
【０００９】
しかしながら、特許文献１に記載の方法は、血液検体中のＨｂＡ１ｃを測定する方法であるため、指血等由来とならざるを得ず、採血の度に針を使用し、その都度、痛みや精神的ストレスを伴うという問題があった。針を使用せずに採取できる唾液検体では、ヘモグロビンのような感度を比較的必要としない物質の測定は可能であるが、ＨｂＡ１ｃのような高感度を必要とする極微量物質の測定は困難であった。また、免疫クロマト分析においては、唾液成分が存在することで、さらに感度が低下する問題もある。
【００１０】
そこで本発明の目的は、上記課題を解決し、針を使用せずに口腔内から血液成分を微量採取した唾液等の夾雑物を含む血液検体であっても、高感度な検出を実現することにより、痛みやストレスを感じることなく、免疫クロマト分析ができる免疫クロマト分析キット、免疫クロマト分析装置及び免疫クロマト分析方法を提供することにある。
【課題を解決するための手段】
【００１１】
本発明者は鋭意研究を重ねた結果、免疫クロマト分析において、検出部の展開方向上流に、アルキルグルコシド類及び陰イオン性界面活性剤を含有することにより、口腔内から採取される唾液等の夾雑物を含む血液検体であっても、高感度な検出を実現することにより、痛みやストレスを感じることなく免疫クロマト分析を実施できることを見出し、本発明を完成することができた。
【００１２】
すなわち本発明は、以下の通りである。
１．口腔内から採取される血液検体を希釈して展開するための検体希釈液並びに試料添加部、標識物質保持部、検出部が担持されたクロマトグラフ媒体部及び吸収部を含む免疫クロマト分析装置を含む免疫クロマト分析キット。
２．前記検体希釈液及び前記検出部の展開方向上流の少なくとも一方に、アルキルグルコシド類及び陰イオン性界面活性剤を含有する前項１に記載の免疫クロマト分析キット。
３．前記検体中の被検出物質が血液中の糖化タンパク質である前項１または２に記載の免疫クロマト分析キット。
４．前記糖化タンパク質がＨｂＡ１ｃである前項３に記載の免疫クロマト分析キット。
５．前記アルキルグルコシド類が、炭素数が５〜１５のアルキル基を有するアルキルグルコシドまたはアルキルマルトシドである前項２〜４のいずれか１項に記載の免疫クロマト分析キット。
６．前記陰イオン性界面活性剤がドデシルスルホン酸ナトリウム、ドデシルベンゼンスルホン酸ナトリウム及びポリオキシエチレンラウリルエーテル硫酸ナトリウムからなる群から選ばれた１種以上である前項２〜５のいずれか１項に記載の免疫クロマト分析キット。
７．前記検出部の展開方向上流に、前記アルキルグルコシド類を１〜１７００μｇ、前記陰イオン性界面活性剤を８〜８００μｇ含有する前項２〜６のいずれか１項に記載の免疫クロマト分析キット。
８．歯間ブラシを用いて口腔内から血液検体を採取することを特徴とする前項１〜７のいずれか１項に記載の免疫クロマト分析キット。
９．口腔内から採取される血液検体中の被検出物質を検出するための免疫クロマト分析装置であって、試料添加部、標識物質保持部、検出部が担持されたクロマトグラフ媒体部及び吸収部を含み、前記検出部の展開方向上流に、アルキルグルコシド類及び陰イオン性界面活性剤を含有する、免疫クロマト分析装置。
１０．試料添加部、標識物質保持部、検出部が担持されたクロマトグラフ媒体部及び吸収部を含む免疫クロマト分析装置を用いて、口腔内から採取される血液検体に含まれる被検出物質を検出する方法であって、以下の工程（１）〜（４）を含む免疫クロマト分析方法。
（１）検体希釈液により前記血液検体を希釈した検体処理液を試料添加部に添加する工程
（２）標識物質保持部に保持されている標識物質により被検出物質を認識させる工程
（３）アルキルグルコシド類及び陰イオン性界面活性剤存在下で前記血液検体及び標識物質を移動相としてクロマトグラフ媒体部に展開させる工程
（４）展開された移動相中の被検出物質を検出部で検出する工程
【発明の効果】
【００１３】
本発明の免疫クロマト分析キット、免疫クロマト分析装置及び免疫クロマト分析方法は、検体希釈液及び検出部の展開方向上流の少なくとも一方にアルキルグルコシド類を含有することにより、被検出物質が検出部に到達するより前に、被検出物質がアルキルグルコシド類と接触し、口腔内から採取される血液検体中の被検出物質を安定化させ、高感度で被検出物質を検出することができる。また、検体希釈液及び検出部の展開方向上流の少なくとも一方にアルキルグルコシド類とともに陰イオン性界面活性剤を含有することにより、唾液成分による検出反応の反応性低下の抑制に寄与することができる。
【図面の簡単な説明】
【００１４】
【図１】図１（ａ）及び（ｂ）は、免疫クロマト分析装置の構造を示す。
【図２】図２は、唾液を含む血液検体（検体処理液１）と血液検体（検体処理液２）における発色度変化率の評価を示す。
【発明を実施するための形態】
【００１５】
以下、本発明をさらに詳細に説明する。
【００１６】
本発明に用いられる血液検体は、例えば、口腔内から採取される血液、血漿または血清のような血液試料であり、特に唾液が含まれる検体である。
【００１７】
本発明における被検出物質としては、例えば、α−フェトプロテイン（ＡＦＰ）及びガン胎児性抗原（ＣＥＡ）等の腫瘍マーカー物質、フェリチン、前立腺特異抗原（ＰＳＡ）及び免疫グロブリンＧ（ＩｇＧ）等の血清タンパク質、リューマチ因子、成長ホルモン（ＧＨ）及び副腎皮質刺激ホルモン（ＡＣＴＨ）等のホルモン関連物質、インフルエンザウィルス、アデノウィルス、クラミジア抗原及びＡ群溶連菌抗原等の細菌抗原、並びにヘモグロビン由来のタンパク質等が挙げられる。これらの中でも、好ましくは血液中の被検出物質、例えば、ヘモグロビン由来のタンパク質、血漿タンパク、リポタンパク、分泌タンパク、ホルモン、補体、脂質、コレステロール、糖、その他生体内成分、生体内投与薬物及びその代謝産物等が挙げられる。中でも本発明の効果の観点から、血液中の糖化アルブミンや糖化ヘモグロビン等の糖化タンパク質であることが好ましく、ＨｂＡ１ｃであることがより好ましい。以下、被検出物質としてＨｂＡ１ｃを、陰性または陽性の判定の基準となる物質としてＨｂＡ１ｃ以外のヘモグロビンを例として説明するが、本発明は下記例に制限されるものではない。
【００１８】
本発明の免疫クロマト分析キットは、唾液を含む血液検体を希釈して展開するための検体希釈液並びに試料添加部、標識物質保持部、検出部が担持されたクロマトグラフ媒体部及び吸収部を含む免疫クロマト分析装置を含む。
【００１９】
検体希釈液は、血液検体及び標識物質を移動相としてクロマトグラフ媒体部に展開させるための展開液として作用することができる。
【００２０】
検体希釈液は、展開性が良好でありかつ抗原抗体反応を阻害しないという観点から、非イオン性界面活性剤を含むことが好ましい。
【００２１】
非イオン性界面活性剤としては、例えば、ポリオキシエチレンアルキルエーテル、ポリオキシエチレン／ポリオキシプロピレンアルキルエーテル、ポリオキシエチレンソルビタン脂肪酸エステル、ポリオキシエチレンｐ−ｔ−オクチルフェニルエーテル、ポリオキシエチレンｐ−ｔ−ノニルフェニルエーテル、アルキルポリグルコシド、脂肪酸ジエタノールアミド及びアルキルモノグリセリルエーテル等を挙げることができる。
【００２２】
検体希釈液は、例えば、水を溶媒とし、非イオン性界面活性剤を、例えば、０．０１〜５質量％の割合で含有することができ、０．０３〜３．０質量％の割合で含有するのが好ましく、０．３〜３．０質量％の割合で含有するのがより好ましい。また、ｐＨを調整するためにバッファー類、無機塩類等の添加剤を適宜添加してもよい。
【００２３】
検体希釈液には、アルキルグルコシド類を含有させておくことが好ましい。このことにより、被検出物質が当該アルキルグルコシド類と接触し、唾液を含む血液検体中の被検出物質を安定化させ、感度の低下を防ぐことができる。
【００２４】
アルキルグルコシド類としては、例えば、ベンジル−α−Ｄ−グルコシド、ベンジル−β−Ｄ−グルコシド、オクチル−α−Ｄ−グルコシド、オクチル−β−Ｄ−グルコシド、デシル−α−Ｄ−グルコシド、デシル−β−Ｄ−グルコシド、ドデシル−α−Ｄ−グルコシド、ドデシル−β−Ｄ−グルコシド、ペンタデシル−α−Ｄ−グルコシド、ペンタデシル−β−Ｄ−グルコシド、ベンジル−α−Ｄ−マルトシド、ベンジル−β−Ｄ−マルトシド、オクチル−α−Ｄ−マルトシド、オクチル−β−Ｄ−マルトシド、デシル−α−Ｄ−マルトシド、デシル−β−Ｄ−マルトシド、ドデシル−α−Ｄ−マルトシド、ドデシル−β−Ｄ−マルトシド、ペンタデシル−α−Ｄ−マルトシド及びペンタデシル−β−Ｄ−マルトシド等が挙げられ、アルキル基の炭素数が５〜１５であるアルキルグルコシドまたはアルキルマルトシドであることが好ましい。かかる化合物を用いれば、唾液等に含まれる夾雑物の可溶化が促進され被検出物質と検出物質の反応性低下をより抑制でき、水を含む展開成分への溶解性の観点からも適切である。より好ましくは、アルキル基の炭素数が７〜１５であるアルキルグルコシド類が用いられ、更に好ましくは、アルキル基の炭素数が８〜１２であるアルキルグルコシド類が用いられる。中でも、オクチル−β−Ｄ−グルコシド、デシル−β−Ｄ−グルコシド、ドデシル−β−Ｄ−グルコシド、オクチル−β−Ｄ−マルトシド、デシル−β−Ｄ−マルトシド、ドデシル−β−Ｄ−マルトシドが最適に用いられる。
【００２５】
検体希釈液におけるアルキルグルコシド類の含有量は、０．０２５〜５０ｍＭであることが好ましく、より好ましくは０．１〜２０ｍＭであり、さらに好ましくは５〜２０ｍＭである。０．０２５ｍＭ以上であることによって、アルキルグルコシド類の唾液成分の可溶化を促進し、口腔内で採取された血液検体中の被検出物質の検出反応の反応性低下を抑制する。５０ｍＭ以下であることによって、アルキルグリルコシド類の濃度過多による検出反応の阻害が生じることなく高感度な検出を可能とし、且つ、経済的にも好ましい濃度だからである。
【００２６】
また、検体希釈液には、アルキルグルコシド類とともに陰イオン性界面活性剤を含有させておくことが好ましい。このことにより、唾液成分による検出反応の反応性低下の抑制に寄与する。また、採取した血液中のＨｂＡ１ｃのエピトープをヘモグロビンタンパク質の表面に露出させる機能を有する。具体的には、ヘモグロビンβ鎖Ｎ末端をタンパク質表面に露出させる成分（Ｎ末端露出剤）として機能する。
【００２７】
陰イオン性界面活性剤としては、例えば、ドデシルベンゼンスルホン酸ナトリウム（ＳＤＢＳ）、ドデシルスルホン酸ナトリウム（ＳＤＳ）、Ｃ１２〜Ｃ１８のアルキルのスルホン酸ナトリウム（アルカンスルホン酸ナトリウム）、ジアルキルスルホコハク酸ナトリウム、コール酸ナトリウム、デオキシコール酸ナトリウム及びポリオキシエチレンラウリルエーテル硫酸ナトリウム（ＳＬＥＳ）等が挙げられる。
【００２８】
これらの中でも特に好ましくは、ドデシルスルホン酸ナトリウム、ドデシルベンゼンスルホン酸ナトリウム、デオキシコール酸ナトリウム及びポリオキシエチレンラウリルエーテル硫酸ナトリウムである。より好ましくは、ドデシルスルホン酸ナトリウム、ドデシルベンゼンスルホン酸ナトリウム及びポリオキシエチレンラウリルエーテル硫酸ナトリウムが用いられる。
【００２９】
検体希釈液における陰イオン性界面活性剤の濃度は、０．０１〜１．５％(ｗ／ｖ)であることが好ましく、より好ましくは０．０５〜１．０％であり、さらに好ましくは０．１〜０．６％であることが好ましい。０．０１％以上であることによって、唾液成分による検出反応の反応性低下の抑制により寄与することができ、１．５％以下であることによって標識試薬の凝集による展開不良や陰イオン界面活性剤の濃度過多による検出反応の阻害が生じることなくより高感度な検出が可能だからである。
【００３０】
免疫クロマト分析装置は、試料添加部、標識物質保持部、検出部が担持されたクロマトグラフ媒体部及び吸収部を含む。以下、図面を参照しながら本発明のクロマト分析装置について説明する。図１（ａ）及び（ｂ）は、本発明の免疫クロマト分析装置の一例を説明するための概略図であり、図１（ａ）は断面図、図１（ｂ）は平面図である。
【００３１】
図１に示すように、免疫クロマト分析装置１は、プラスチック製粘着シート１１上に、試料添加部１２、標識物質で標識された抗ヘモグロビン抗体を含有する標識物質保持部１３、クロマトグラフ媒体部１４、吸収部１５の順でキットの長手方向に沿ってそれぞれ設けられている。
【００３２】
また、クロマトグラフ媒体部１４上には、検出部として、抗ＨｂＡ１ｃ抗体が塗布された抗ＨｂＡ１ｃ抗体塗布部１６、抗ヘモグロビン抗体が塗布された抗ヘモグロビン抗体塗布部１７、コントロールとして抗ＩｇＧ抗体が塗布された抗ＩｇＧ抗体塗布部１８がそれぞれ設けられている。
【００３３】
プラスチック製粘着シート１１は、免疫クロマト分析装置１の基材をなすものであり、片面に粘着剤を塗布したり、粘着テープを貼り付けることにより片面が粘着面となり、該粘着面上に下記の各構成部位の一部または全部が密着する。プラスチック製粘着シート１１の材質は、試料に対して不透過性、非透湿性となるようなものを適宜選択すればよい。
【００３４】
試料添加部１２は、下記で説明する検体処理液を迅速に吸収するが、保持力は弱く、速やかに抗原抗体反応領域へと検体処理液が移動していくような性質の多孔質シートで構成することができる。多孔質シートとしては、例えば、グラスファイバー、セルロース、ポリエチレンテレフタレート、ポリウレタン、ポリアセテート、酢酸セルロース、ニトロセルロース、ナイロン、綿布等から構成されたパッド、繊維及びメンブレン等が挙げられる。中でも、グラスファイバー、セルロース及びポリエチレンテレフタレートからなる群から選ばれた１種を用い、試料添加部１２を構成するのが好ましい。
【００３５】
このとき、試料添加部１２を構成する素材として、グラスファイバー、セルロース及びポリエチレンテレフタレートからなる群から選ばれた１種を用いた場合に、ＨｂＡ１ｃと陰イオン性界面活性剤との接触効率が高くなり、以下に詳述する陰イオン性界面活性剤がＮ末端露出剤として効率的に作用するという効果を奏する。
【００３６】
試料添加部１２には、上述した理由により前記アルキルグルコシド類を含有させておくことが好ましい。試料添加部１２におけるアルキルグルコシド類の含有量は、１〜１７００μｇであることが好ましく、より好ましくは３．５〜７００μｇであり、さらに好ましくは１７５〜７００μｇである。１μｇ以上であることによって、アルキルグルコシド類の唾液成分の可溶化を促進し、口腔内で採取された血液検体中の被検出物質の検出反応の反応性低下を抑制する。１７００μｇ以下であることによって、アルキルグリルコシド類の濃度過多による検出反応の阻害が生じることなく高感度な検出を可能とし、且つ、経済的にも好ましい濃度だからである。
【００３７】
また、試料添加部１２には、上述した理由によりアルキルグルコシド類とともに陰イオン性界面活性剤を含有させておくことが好ましい。試料添加部１２における陰イオン性界面活性剤の含有量は、８〜８００μｇであることが好ましく、より好ましくは１０〜５００μｇであり、さらに好ましくは１６〜４８０μｇである。８μｇ以上であることによって、唾液成分による検出反応の反応性低下の抑制により寄与することができ、８００μｇ以下であることによって標識試薬の凝集による展開不良や陰イオン界面活性剤の濃度過多による検出反応の阻害が生じることなくより高感度な検出が可能だからである。
【００３８】
また試料添加部１２には、必要に応じて、チオシアン酸ナトリウム、グアニジン塩酸塩またはＥＤＴＡ等の各種添加剤を添加することもできる。
【００３９】
標識物質保持部１３は、例えば標識物質で標識された抗ヘモグロビン抗体を保持する。標識物質保持部１３における抗ヘモグロビン抗体は、検体処理液中のヘモグロビンに対して特異的に結合し得る。このような抗体としては、ポリクローナル抗体やモノクローナル抗体等が挙げられる。モノクローナル抗体及びポリクローナル抗体若しくはそのフラグメントは、公知であり、入手可能であり、公知の方法により調製することができる。
【００４０】
抗体産生動物種としては、例えば、ヒト、マウス、ラット、ウサギ及びヤギ等が挙げられる。免疫グロブリンとしては、ＩｇＧ、ＩｇＭ、ＩｇＡ、ＩｇＥ、ＩｇＤのいずれでもよい。モノクローナル抗体は、常法に従って、抗原で免疫したマウスの脾臓細胞と骨髄腫細胞をハイブリッドさせ、目的とする抗体を産生するハイブリドーマを選択し、このハイブリドーマから産生されてくるモノクローナル抗体を収得する［例えば、ケーラーとミルスタインの技法（Ｎａｔｕｒｅ  ２５６（１９７５）４９５−４９７）を参照］。ポリクローナル抗体は、常法により、抗原を産生動物（例えば、ヒト、マウス、ラット、ウサギ、ヤギ及びウマ等）に免疫して得た抗血清中から目的とする抗体を分離することにより得られる。
【００４１】
標識物質としては、視覚的に着色を確認できる有色物質が好ましく、当業界で公知のものを適宜採用できる。例えば、金属コロイド粒子、非金属コロイド粒子、着色ラテックス及び酵素標識等が挙げられるが、時間が経過しても退色し難い金属コロイド粒子が標識の安定性の観点からとくに好ましい。金属コロイド粒子としては、金、白金、銅、銀及びパラジウムコロイドの他、それらを混合した粒子等を使用することができ、とくに金コロイド粒子は適当な粒径において赤色を呈する点で好ましい。
【００４２】
金属コロイド粒子の平均粒径は、例えば、１〜５００ｎｍ、強い色調が得られる点で、好ましくは１０ｎｍ〜１５０ｎｍ、より好ましくは２０〜１００ｎｍの範囲内である。非金属コロイド粒子として、セレニウムコロイド等を例示することができる。金属コロイド及び非金属コロイド粒子は、常法により調製することができ、このとき、粒径は所望の色調を呈するよう調節される。また、市販品を利用することもできる。
【００４３】
着色ラテックスは、ポリスチレン等の高分子重合体の粒子が赤や青色を呈する着色剤により着色したものが挙げられ、常法により調製することができる。酵素標識としては、例えば、ペルオキシダーゼ、アルカリフォスファターゼ、グルコースオキシダーゼ及びガラクトシダーゼ等が挙げられる。酵素標識を使用する場合、当該酵素に対する基質及び必要に応じて発色試薬を作用させ、その反応により生じる発色を検出する。
【００４４】
なお、標識物質で標識された抗体の調製は、公知の手段にしたがって行うことができる。例えば金コロイド粒子を抗体に担持する方法としては、例えば、物理吸着及び化学結合などの公知の方法が挙げられる。具体的には、例えば、金粒子がコロイド状に分散した溶液に抗体を加えて物理吸着させた後、牛血清アルブミン溶液などのブロッキングタンパクを添加して抗体が未結合である粒子表面をブロッキングすることにより調製することができる。また、抗原抗体反応は、公知のサンドイッチ法、競合法や、それらを組み合わせた方法を採用することができる。
【００４５】
標識物質保持部１３の材質としては、例えば、グラスファイバー、セルロース、ポリエチレンテレフタレート、ポリウレタン、ポリアセテート、ナイロン及び綿布等が挙げられる。
【００４６】
標識物質保持部１３には、上述した理由により前記アルキルグルコシド類を含有させておくことが好ましい。標識物質保持部１３におけるアルキルグルコシド類の含有量は、１〜１７００μｇであることが好ましく、より好ましくは３．５〜７００μｇであり、さらに好ましくは１７５〜７００μｇである。１μｇ以上であることによって、アルキルグルコシド類の唾液成分の可溶化を促進し、口腔内で採取された血液検体中の被検出物質の検出反応の反応性低下を抑制する。１７００μｇ以下であることによって、アルキルグリルコシド類の濃度過多による検出反応の阻害が生じることなく高感度な検出を可能とし、且つ、経済的にも好ましい濃度だからである。
【００４７】
また、標識物質保持部１３には、上述した理由によりアルキルグルコシド類とともに陰イオン性界面活性剤を含有させておくことが好ましい。標識物質保持部１３における陰イオン性界面活性剤の含有量は、８〜８００μｇであることが好ましく、より好ましくは１０〜５００μｇであり、さらに好ましくは１６〜４８０μｇである。８μｇ以上であることによって、唾液成分による検出反応の反応性低下の抑制により寄与することができ、８００μｇ以下であることによって標識試薬の凝集による展開不良や陰イオン界面活性剤の濃度過多による検出反応の阻害が生じることなくより高感度な検出が可能だからである。
【００４８】
クロマトグラフ媒体部１４は、毛細管現象により試料検体を吸収し移動させることができるものであればよく、例えば、ニトロセルロース、酢酸セルロース、ナイロン、ポリエーテルスルホン、ポリビニルアルコール、ポリエステル、ガラスファイバー、ポリオレフィン、セルロース及びこれらの混合繊維等から構成することができる。
【００４９】
クロマトグラフ媒体部１４上に設けられた、検出部の抗ＨｂＡ１ｃ抗体塗布部１６、抗ヘモグロビン抗体塗布部１７、抗ＩｇＧ抗体塗布部１８は、例えば、それぞれの抗体を担持固定できる材料から構成され、該材料としては、例えば、ニトロセルロース等が挙げられる。
【００５０】
クロマトグラフ媒体部１４には、上述した理由により前記アルキルグルコシド類を含有させておくことが好ましい。クロマトグラフ媒体部１４におけるアルキルグルコシド類の含有量は、１〜１７００μｇであることが好ましく、より好ましくは３．５〜７００μｇであり、さらに好ましくは１７５〜７００μｇである。１以上であることによって、アルキルグルコシド類の唾液成分の可溶化を促進し、口腔内で採取された血液検体中の被検出物質の検出反応の反応性低下を抑制する。１７００μｇ以下であることによって、アルキルグルコシド類の濃度過多による検出反応の阻害が生じることなく高感度な検出を可能とし、且つ、経済的にも好ましい濃度だからである。
【００５１】
また、クロマトグラフ媒体部１４には、上述した理由によりアルキルグルコシド類とともに陰イオン性界面活性剤を含有させておくことが好ましい。クロマトグラフ媒体部１４における陰イオン性界面活性剤の含有量は、８〜８００μｇであることが好ましく、より好ましくは１０〜５００μｇであり、さらに好ましくは１６〜４８０μｇである。８μｇ以上であることによって、唾液成分による検出反応の反応性低下の抑制により寄与することができ、８００μｇ以下であることによって標識試薬の凝集による展開不良や陰イオン界面活性剤の濃度過多による検出反応の阻害が生じることなくより高感度な検出が可能だからである。
【００５２】
本願発明の免疫クロマト分析装置において、前述した検出部の展開方向上流には、上述したアルキルグルコシド類及び陰イオン性界面活性剤を含有する。ここで、本明細書において、「検出部の展開方向上流」とは、免疫クロマト分析装置の長手方向について、検出部を基準とした場合の試料添加部側を上流側とした、相対的な方向を意味する。具体的には、例えば、試料添加部１２、標識物質保持部１３及びクロマトグラフ媒体部１４等が挙げられる。
【００５３】
アルキルグルコシド類及び陰イオン性界面活性剤は、上述したように、検体希釈液、検出部の展開方向上流に位置する試料添加部１２、標識物質保持部１３及びクロマトグラフ媒体部１４の少なくとも１つに含有させておくことが好ましい。 唾液成分による検出反応の反応性低下の効果的な抑制や標識試薬の凝集による展開不良の抑制の観点から、アルキルグルコシド類及び陰イオン性界面活性剤は、検体希釈液及び試料添加部の少なくとも１つに含有させておくことがより好ましい。検体希釈液にアルキルグルコシド類、試料添加部に陰イオン界面活性剤を含有させておくことが特に好ましい。
【００５４】
吸収部１５を構成する材料としては、過剰の検体処理液を迅速に吸収する能力を有する材料が挙げられ、セルロース繊維又はガラス濾紙等が用いられる。
【００５５】
次に本発明の免疫クロマト分析方法について説明する。本発明の免疫クロマト分析方法は、上記で説明した免疫クロマト分析装置を用いて口腔内から採取される血液検体に含まれる被検出物質を検出するものであって、以下の工程（１）〜（４）を含む。
（１）検体希釈液により前記血液検体を希釈した検体処理液を試料添加部に添加する工程
（２）標識物質保持部に保持されている標識物質により被検出物質を認識させる工程
（３）アルキルグルコシド類及び陰イオン性界面活性剤存在下で血液検体及び標識物質を移動相としてクロマトグラフ媒体部に展開させる工程
（４）展開された移動相中の被検出物質を検出部で検出する工程
【００５６】
以下、被検出物質がＨｂＡ１ｃである場合を例として、各工程について説明する。（１）工程においては、まず、口腔内から採取される血液検体を検体希釈液で希釈した検体処理液を調製する。検体希釈液は、（３）工程における血液検体及び標識物質を移動相としてクロマトグラフ媒体部に展開させるための展開液として作用することができる。
【００５７】
検体希釈液と、患者の口腔内からから採取した血液検体とを混合し、検体処理液を調製し、試料添加部１２に滴下する。なお、患者からの血液検体の採取場所は、例えば、歯肉溝が挙げられる。また、採取方法は、例えば、歯間ブラシを使用する方法が挙げられる。
【００５８】
（２）工程において、標識物質保持部１３に到達した検体処理液中のヘモグロビンは、標識物質により標識された抗ヘモグロビン抗体と抗原抗体反応することで、複合体を形成する。すなわち、被検出物質であるＨｂＡ１ｃも標識物質保持部１３に保持されている標識物質により認識されることになる。
【００５９】
（３）工程においては、検体及び標識物質、すなわち検体処理液と、抗ヘモグロビン抗体とヘモグロビンの複合体が移動相としてクロマトグラフ媒体部１４に展開される。このとき、検体処理液に含まれる非イオン性界面活性剤が該展開の展開性を良化し、また続く抗原抗体反応を阻害しない効果を奏することは上述の通りである。
【００６０】
また、アルキルグルコシド類及び陰イオン性界面活性剤存在下で検体及び標識物質を移動相としてクロマトグラフ媒体部に展開させるには、アルキルグルコシド類及び陰イオン性界面活性剤を、検体希釈液及び検出部の展開方向上流の少なくとも一方に含有させておく。
【００６１】
続いて、（４）工程において、クロマトグラフ媒体部１４に展開された移動相中の被検出物質であるＨｂＡ１ｃは、抗ＨｂＡ１ｃ抗体塗布部１６に到達し、ＨｂＡ１ｃはそこを通過する間に抗ＨｂＡ１ｃ抗体と反応して固定化される。ＨｂＡ１ｃ以外のヘモグロビン及び検体処理液は、抗ＨｂＡ１ｃ抗体塗布部１６を反応せずに通過するが、抗ヘモグロビン抗体塗布部１７に到達すると、ＨｂＡ１ｃ以外のヘモグロビンは抗ヘモグロビン抗体と反応し固定化される。
【００６２】
なお、抗原と反応しなかった標識物質や抗体塗布部１６及び１７で反応しなかった標識物質は抗ＩｇＧ抗体塗布部１８で抗ＩｇＧ抗体と反応し固定化され、展開が正常に行われていることを示すコントロールとして発色する。その他の試料液成分は反応せずに吸収部１５まで移動する。このようにして、各塗布部においてＨｂＡ１ｃ及びＨｂＡ１ｃ以外のヘモグロビンの存在による発色シグナルが確認できる。なお、抗ＨｂＡ１ｃ抗体及び抗ヘモグロビン抗体は、前述のようなモノクローナル抗体、ポリクローナル抗体のいずれであってもよい。
【００６３】
血中成分には個人差が存在し、単にＨｂＡ１ｃを発色させてその強度を確認しただけでは、糖尿病の判定は困難である。そこで、ＨｂＡ１ｃとＨｂＡ１ｃ以外のヘモグロビンを同時に発色させ、両者の発色度合いの比較から該判定を行うのがよい。
【００６４】
具体的には、例えば、ＨｂＡ１ｃとＨｂＡ１ｃ以外のヘモグロビンの発色シグナルを比較し、ＨｂＡ１ｃの発色シグナルがＨｂＡ１ｃ以外のヘモグロビンのそれよりも強い場合、陽性と判定することができる。逆にＨｂＡ１ｃの発色シグナルがＨｂＡ１ｃ以外のヘモグロビンと同等またはそれよりも弱い場合、陰性と判定することができる。
【実施例】
【００６５】
以下、本発明を実施例及び比較例によりさらに説明するが、本発明は下記例に制限されない。
【００６６】
実施例１
以下の手順で、図１に示すような免疫クロマト分析装置１を作製した。
（１）試料添加部１２
試料添加部１２には、グラスファイバーパッド（ミリポア社製商品名グラスファイバーコンジュゲートパッド、サイズ縦３２ｍｍ（検体処理液展開方向）、横１５０ｍｍ、厚さ０．４３ｍｍ）に、ドデシル硫酸ナトリウム（ＳＤＳ）を、６０μｇ／ｃｍ２の割合で均一に添加し、５０℃で４時間乾燥することにより作製した。
【００６７】
（２）抗ＨｂＡ１ｃ抗体塗布部１６、抗ヘモグロビン抗体塗布部１７、抗ＩｇＧ
抗体塗布部１８の作製
メンブレンとしてニトロセルロースからなるシート（ミリポア社製、商品名：ＨＦ１２０、２５０ｍｍ×２５ｍｍ）を用いた。５質量％のスクロース及び５質量％のイソプロパノールを含む１０ｍＭのリン酸緩衝液（ｐＨ７．４）で１．０ｍｇ／ｍｌの濃度になるように抗ＨｂＡ１ｃモノクローナル抗体、抗ヘモグロビンモノクローナル抗体または抗ＩｇＧモノクローナル抗体を希釈し、その希釈された溶液１５０μＬを抗体塗布機（ＢｉｏＤｏｔ社製）によりメンブラン上に１ｍｍの幅で別々の場所に塗布し、５０℃で３０分間乾燥させ、室温で一晩乾燥させ、クロマトグラフ媒体部１４上に抗ＨｂＡ１ｃ抗体塗布部１６、抗ヘモグロビン抗体塗布部１７、抗ＩｇＧ抗体塗布部１８をそれぞれ設けた。
【００６８】
（３）標識物質溶液の作製
金コロイド懸濁液（田中貴金属工業社製：平均粒子径４０ｎｍ）０．５ｍＬに、Ｔｒｉｓ緩衝（ｐＨ８．５）で０．１ｍｇ／ｍＬの濃度になるように希釈した抗ヘモグロビンモノクローナル抗体０．１ｍＬ加え、室温で１０分間静置した。次いで、０．０１質量％のＰＥＧ−ＳＨ（日本油脂株式会社製、商品名：ＳＵＮＢＲＩＧＨＴ  ＭＥ−２００ＳＨ、分子量２００００）を含むＴｒｉｓ緩衝液（ｐＨ８．５）を０．１ｍｌ加え（添加後のＰＥＧ−ＳＨ濃度：０．００１質量％）、室温で１０分間静置した。その後、十分撹拌した後、８０００×ｇで１５分間遠心分離を行い、上清を除去した後、１質量％の牛血清アルブミンを含むリン酸緩衝液（ｐＨ７．４）０．１ｍＬを加え、標識物質溶液を作製した。
【００６９】
（４）免疫クロマト分析装置１の作製
上記作製した標識物質溶液  ２２０μｌに１００μｌの２５質量％トレハロース水溶液を含むリン酸緩衝液（ｐＨ９．０）を加えたものを８ｍｍ×１００ｍｍのグラスファイバーパッド（ミリポア社製）に均一になるように添加した後、真空乾燥機にて乾燥させ、標識物質保持部１３を作製した。次に、プラスチック製粘着シート１１上に、上記作製した試料添加部１２、標識物質で標識された標識物質保持部１３、クロマトグラフ媒体部１４を貼り合わせ、汎用の吸収部１５をさらに貼り合わせ、裁断機で幅が５ｍｍとなるように裁断し、免疫クロマト分析装置１を作製した。この時、一装置あたりに含有するＳＤＳの量は、９６μｇであった。
【００７０】
下記の処方にて、各成分を攪拌し、検体希釈液を調製した。
グルコシド類として、Ｃ８グルコシド（同仁化学（株）社製、製品名ｎ-Ｏｃｔｙｌ-β-Ｄ-ｇｌｕｃｏｓｉｄｅ）：１０ｍＭ
非イオン性界面活性剤として、ＴｒｉｔｏｎＸ−１００（ＳＩＧＭＡ社製、商品名）とＴｗｅｅｎ２０（和光純薬（株）社製、商品名）との１：５の質量比の混合物：１．２質量％
バッファーとしてのＢｉｃｉｎｅ緩衝液：５０ｍＭ
無機塩として塩化カリウム：０．６質量％
添加剤としてカゼインナトリウム：２．０質量％
残量：水
【００７１】
検体の採取
健康成人男性及び糖尿病男性患者それぞれの指先を穿刺することにより採取されたＨｂＡ１ｃ濃度が既知の血液を混合することにより、５．５％のＨｂＡ１ｃ濃度を有する血液を調整した。また、健康成人男性から唾液を採取した。
【００７２】
検体処理液１の調製
血液と唾液を (容量比) 1：４９となるように混合し、該混合物と前記検体希釈液とを、前者：後者として（容量比）、１：１９で混合し、検体処理液１を調製した。
検体処理液２の調製
唾液を含有しない血液と前記検体希釈液とを、前者：後者として（容量比）、１：１０００で混合し、検体処理液２を調製した。
検体処理液３の調製
健康成人男性及び糖尿病男性患者それぞれの指先を穿刺することにより採取されたＨｂＡ１ｃ濃度が既知の血液を混合し調整された６．５％のＨｂＡ１ｃ濃度を有する血液１μＬと、健康成人男性の口腔内から、歯間ブラシを歯肉溝に穿刺し採取した唾液を含む血液検体とを、１．０ｍＬの検体希釈液に浸漬し攪拌し、検体処理液３を調製した。
【００７３】
免疫クロマト分析の実施
上記のようにして作製した免疫クロマト分析装置１の試料添加部１２に、検体処理液１を１１０μｌ供給し、展開１０分後に検出部の発色の度合いをイムノクロマトリーダー（浜松ホトニクス（株）社製  製品名）により測定した。イムノクロマトリーダーによる測定値は、各実施例及び比較例において繰り返し３回の試験を行った。
同様の方法で、検体処理液２についても免疫クロマト分析を実施した。
【００７４】
唾液を含む血液検体（検体処理液１）と血液検体（検体処理液２）における発色度変化率の評価
下記式で求められる発色度変化率を表１及び図２に示す。
発色度変化率（％）＝１００×（検体処理液１の平均測定値）／（検体処理液２の平均測定値）
１００％は変化なしを示し、数値が小さくなるほど唾液を含む検体での感度低下が大きいことを示す。
【００７５】
実施例２
実施例１において、検体希釈液中のアルキルグルコシド類を、Ｃ８グルコシドからＣ１２グルコシドのｎ-Ｄｏｄｅｃｙｌ-β-Ｄ-ｇｌｕｃｏｓｉｄｅ（花王（株）社製、製品名マイドール１２）に変更したこと以外は、実施例１を繰り返した。結果を表１及び図２に示す。
【００７６】
実施例３
実施例１において、検体希釈液中のアルキルグルコシド類を、Ｃ８グルコシドからＣ１２グルコシドのｎ-Ｄｅｃｙｌ-β-Ｄ-ｇｌｕｃｏｓｉｄｅ（花王（株）社製、製品名マイドール１０）に変更したこと以外は、実施例１を繰り返した。結果を表１及び図２に示す。
実施例４
実施例１において、試料滴下部に含有させる陰イオン性界面活性剤を、ＳＤＳからＳＤＢＳ(関東化学 (株) 社製、製品名ドデシルベンゼンスルホン酸ナトリウム)に変更したこと以外は、実施例１を繰り返した。結果を表１及び図２に示す。
実施例５
実施例１において、検体希釈液中のアルキルグルコシド類を、Ｃ８グルコシドからＣ８マルトシド（（株）同仁化学研究所  社製、製品名ｎ-Ｏｃｔｙｌ-β-Ｄ−ｍａｌｔｏｓｉｄｅ）に変更したこと以外は、実施例１を繰り返した。結果を表１及び図２に示す
【００７７】
比較例１
実施例１において、検体希釈液中にアルキルグルコシド類及び試料滴下部にＳＤＳを含有させないこと以外は、実施例１を繰り返した。結果を表１及び図２に示す。
【００７８】
比較例２
実施例１において、検体希釈液中にＣ８グルコシドを含有させないこと以外は、実施例１を繰り返した。結果を表１及び図２に示す。
【００７９】
比較例３
実施例１において、試料滴下部にＳＤＳを含有させないこと以外は、実施例１を繰り返した。結果を表１及び図２に示す。
【００８０】
【表１】
2015210237.tif 000003
【００８１】
表１及び図２に示す実施例の結果から、検出部の展開方向上流にアルキルグルコシド類及び陰イオン性界面活性剤を含有することにより、血液検体が唾液を含むことによる検出感度の低下が抑制されていることが分かる。
【００８２】
また、比較例１及び２において、アルキルグルコシド類を含有しない場合において、陰イオン性界面活性剤を含有していても含有していなくとも、発色度の変化率に差はなかった。
【００８３】
一方、比較例３と実施例１において、アルキルグルコシド類を含有する場合においては、陰イオン性界面活性剤を含有している方が、検出感度の低下が抑制されていることが分かる。
【００８４】
したがって、アルキルグルコシド類と陰イオン性界面活性剤の両者が存在することで、相乗的に作用し、唾液を含有することによる血液検体の検出感度の低下を抑制していることが分かった。
【００８５】
実施例６
実施例１の検体処理液１の調製において、５．５％、６．０％、６．５％の各種ＨｂＡ１ｃ濃度を有する血液を用い、唾液を含む血液検体の分析のみを実施したこと以外は実施例１を繰り返した。また、免疫クロマト分析において、イムノクロマトリーダーを用いずに、検出部での発色の度合いを目視で判定した。結果を表２に示す。なお表中の評価基準は以下の通りである。
＋：赤色の発色を確認できるもの
＋＋：強い赤色の発色を確認できるもの
＋＋＋：非常に強い赤色の発色が確認できるもの
【００８６】
【表２】
2015210237.tif 000004
【００８７】
実施例７
実施例６において、検体処理液１に代え検体処理液３を用い唾液を含む血液の実検体について試験したこと以外は、実施例６を繰り返した。目視判定の結果は、非常に強い赤色の発色（＋＋＋）が確認された。また、６．５％以上のＨｂＡ１ｃ濃度を有する糖尿病患者の血液検体を歯間ブラシで採取し、検体希釈液で１０００倍に希釈処理し試験した場合でも同様の結果が得られる。
【符号の説明】
【００８８】
１  免疫クロマト分析装置
１１  プラスチック製粘着シート
１２  試料添加部
１３  標識物質保持部
１４  クロマトグラフ媒体部
１５  吸収部
１６  抗ＨｂＡ１ｃ抗体が塗布された抗ＨｂＡ１ｃ抗体塗布部
１７  抗ヘモグロビン抗体が塗布された抗ＨｂＡ０抗体塗布部
１８  コントロールとして抗ＩｇＧ抗体が塗布された抗ＩｇＧ抗体塗布部
【図１】
2015210237.tif 000005
【図２】
2015210237.tif 000006
【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
口腔内から採取される血液検体を希釈して展開するための検体希釈液並びに試料添加部、標識物質保持部、検出部が担持されたクロマトグラフ媒体部及び吸収部を含む免疫クロマト分析装置を含む免疫クロマト分析キットであって、
前記血液検体中の被検出物質が血液中の糖化タンパク質であり、
前記検体希釈液が、アルキルグルコシド類を含有し、
前記検体希釈液及び前記検出部の展開方向上流の少なくとも一方に、陰イオン性界面活性剤を含有する
免疫クロマト分析キット。
【請求項２】
前記試料添加部が、陰イオン性界面活性剤を含有する請求項１に記載の免疫クロマト分析キット。
【請求項３】
前記糖化タンパク質がＨｂＡ１ｃである請求項１または２に記載の免疫クロマト分析キット。
【請求項４】
前記アルキルグルコシド類が、炭素数が５〜１５のアルキル基を有するアルキルグルコシドまたはアルキルマルトシドである請求項１〜３のいずれか１項に記載の免疫クロマト分析キット。
【請求項５】
前記陰イオン性界面活性剤がドデシルスルホン酸ナトリウム、ドデシルベンゼンスルホン酸ナトリウム及びポリオキシエチレンラウリルエーテル硫酸ナトリウムからなる群から選ばれた１種以上である請求項１〜４のいずれか１項に記載の免疫クロマト分析キット。
【請求項６】
前記検体希釈液が前記アルキルグルコシド類を０．０２５〜５０ｍＭ含有し、前記検出部の展開方向上流に、前記陰イオン性界面活性剤を８〜８００μｇ含有する請求項１〜５のいずれか１項に記載の免疫クロマト分析キット。
【請求項７】
歯間ブラシを用いて口腔内から血液検体を採取することを特徴とする請求項１〜６のいずれか１項に記載の免疫クロマト分析キット。
【請求項８】
試料添加部、標識物質保持部、検出部が担持されたクロマトグラフ媒体部及び吸収部を含む免疫クロマト分析装置を用いて、口腔内から採取される血液検体に含まれる被検出物質を検出する方法であって、前記血液検体中の被検出物質が血液中の糖化タンパク質であり、かつ以下の工程（１）〜（４）を含む免疫クロマト分析方法。
（１）アルキルグルコシド類を含有する検体希釈液により前記血液検体を希釈した検体処理液を試料添加部に添加する工程
（２）標識物質保持部に保持されている標識物質により被検出物質を認識させる工程
（３）アルキルグルコシド類及び陰イオン性界面活性剤存在下で前記血液検体及び標識物質を移動相としてクロマトグラフ媒体部に展開させる工程
（４）展開された移動相中の被検出物質を検出部で検出する工程
【請求項９】
前記試料添加部が、陰イオン性界面活性剤を含有する請求項８に記載の免疫クロマト分析方法。
【手続補正３】
【補正対象書類名】明細書
【補正対象項目名】０００１
【補正方法】変更
【補正の内容】
【０００１】
本発明は、免疫クロマト分析キット及び免疫クロマト分析方法に関する。
【手続補正４】
【補正対象書類名】明細書
【補正対象項目名】００１０
【補正方法】変更
【補正の内容】
【００１０】
そこで本発明の目的は、上記課題を解決し、針を使用せずに口腔内から血液成分を微量採取した唾液等の夾雑物を含む血液検体であっても、高感度な検出を実現することにより、痛みやストレスを感じることなく、免疫クロマト分析ができる免疫クロマト分析キット及び免疫クロマト分析方法を提供することにある。
【手続補正５】
【補正対象書類名】明細書
【補正対象項目名】００１２
【補正方法】変更
【補正の内容】
【００１２】
すなわち本発明は、以下の通りである。
１．口腔内から採取される血液検体を希釈して展開するための検体希釈液並びに試料添加部、標識物質保持部、検出部が担持されたクロマトグラフ媒体部及び吸収部を含む免疫クロマト分析装置を含む免疫クロマト分析キットであって、
前記血液検体中の被検出物質が血液中の糖化タンパク質であり、
前記検体希釈液が、アルキルグルコシド類を含有し、
前記検体希釈液及び前記検出部の展開方向上流の少なくとも一方に、陰イオン性界面活性剤を含有する
免疫クロマト分析キット。
２．前記試料添加部が、陰イオン性界面活性剤を含有する前項１に記載の免疫クロマト分析キット。
３．前記糖化タンパク質がＨｂＡ１ｃである前項１または２に記載の免疫クロマト分析キット。
４．前記アルキルグルコシド類が、炭素数が５〜１５のアルキル基を有するアルキルグルコシドまたはアルキルマルトシドである前項１〜３のいずれか１項に記載の免疫クロマト分析キット。
５．前記陰イオン性界面活性剤がドデシルスルホン酸ナトリウム、ドデシルベンゼンスルホン酸ナトリウム及びポリオキシエチレンラウリルエーテル硫酸ナトリウムからなる群から選ばれた１種以上である前項１〜４のいずれか１項に記載の免疫クロマト分析キット。
６．前記検体希釈液が前記アルキルグルコシド類を０．０２５〜５０ｍＭ含有し、前記検出部の展開方向上流に、前記陰イオン性界面活性剤を８〜８００μｇ含有する前項１〜５のいずれか１項に記載の免疫クロマト分析キット。
７．歯間ブラシを用いて口腔内から血液検体を採取することを特徴とする前項１〜６のいずれか１項に記載の免疫クロマト分析キット。
８．試料添加部、標識物質保持部、検出部が担持されたクロマトグラフ媒体部及び吸収部を含む免疫クロマト分析装置を用いて、口腔内から採取される血液検体に含まれる被検出物質を検出する方法であって、前記血液検体中の被検出物質が血液中の糖化タンパク質であり、かつ以下の工程（１）〜（４）を含む免疫クロマト分析方法。
（１）アルキルグルコシド類を含有する検体希釈液により前記血液検体を希釈した検体処理液を試料添加部に添加する工程
（２）標識物質保持部に保持されている標識物質により被検出物質を認識させる工程
（３）アルキルグルコシド類及び陰イオン性界面活性剤存在下で前記血液検体及び標識物質を移動相としてクロマトグラフ媒体部に展開させる工程
（４）展開された移動相中の被検出物質を検出部で検出する工程
９．前記試料添加部が、陰イオン性界面活性剤を含有する前項８に記載の免疫クロマト分析方法。
【手続補正６】
【補正対象書類名】明細書
【補正対象項目名】００１３
【補正方法】変更
【補正の内容】
【００１３】
本発明の免疫クロマト分析キット及び免疫クロマト分析方法は、検体希釈液及び検出部の展開方向上流の少なくとも一方にアルキルグルコシド類を含有することにより、被検出物質が検出部に到達するより前に、被検出物質がアルキルグルコシド類と接触し、口腔内から採取される血液検体中の被検出物質を安定化させ、高感度で被検出物質を検出することができる。また、検体希釈液及び検出部の展開方向上流の少なくとも一方にアルキルグルコシド類とともに陰イオン性界面活性剤を含有することにより、唾液成分による検出反応の反応性低下の抑制に寄与することができる。
【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
口腔内から採取される唾液を含む血液検体を希釈して展開するための検体希釈液並びに試料添加部、標識物質保持部、検出部が担持されたクロマトグラフ媒体部及び吸収部を含む免疫クロマト分析装置を含む免疫クロマト分析キットであって、
前記血液検体中の被検出物質が血液中の糖化タンパク質であり、
前記検体希釈液が、アルキルグルコシド類を含有し、
前記検体希釈液及び前記検出部の展開方向上流の少なくとも一方に、陰イオン性界面活性剤を含有する
免疫クロマト分析キット。
【請求項２】
前記試料添加部が、陰イオン性界面活性剤を含有する請求項１に記載の免疫クロマト分析キット。
【請求項３】
前記糖化タンパク質がＨｂＡ１ｃである請求項１または２に記載の免疫クロマト分析キット。
【請求項４】
前記アルキルグルコシド類が、炭素数が５〜１５のアルキル基を有するアルキルグルコシドまたはアルキルマルトシドである請求項１〜３のいずれか１項に記載の免疫クロマト分析キット。
【請求項５】
前記陰イオン性界面活性剤がドデシルスルホン酸ナトリウム、ドデシルベンゼンスルホン酸ナトリウム及びポリオキシエチレンラウリルエーテル硫酸ナトリウムからなる群から選ばれた１種以上である請求項１〜４のいずれか１項に記載の免疫クロマト分析キット。
【請求項６】
前記検体希釈液が前記アルキルグルコシド類を０．０２５〜５０ｍＭ含有し、前記検出部の展開方向上流に、前記陰イオン性界面活性剤を８〜８００μｇ含有する請求項１〜５のいずれか１項に記載の免疫クロマト分析キット。
【請求項７】
歯間ブラシを用いて口腔内から血液検体を採取することを特徴とする請求項１〜６のいずれか１項に記載の免疫クロマト分析キット。
【請求項８】
試料添加部、標識物質保持部、検出部が担持されたクロマトグラフ媒体部及び吸収部を含む免疫クロマト分析装置を用いて、口腔内から採取される唾液を含む血液検体に含まれる被検出物質を検出する方法であって、前記血液検体中の被検出物質が血液中の糖化タンパク質であり、かつ以下の工程（１）〜（４）を含む免疫クロマト分析方法。
（１）アルキルグルコシド類を含有する検体希釈液により前記血液検体を希釈した検体処理液を試料添加部に添加する工程
（２）標識物質保持部に保持されている標識物質により被検出物質を認識させる工程
（３）アルキルグルコシド類及び陰イオン性界面活性剤存在下で前記血液検体及び標識物質を移動相としてクロマトグラフ媒体部に展開させる工程
（４）展開された移動相中の被検出物質を検出部で検出する工程
【請求項９】
前記試料添加部が、陰イオン性界面活性剤を含有する請求項８に記載の免疫クロマト分析方法。